(57)【要約】【課題】取付及び取外の操作が簡易であって、安定的に壁板に固定することのできるハンガーフックの提供。【解決手段】ハンガーフック１０のケーシング本体４０は、内部において幅方向Ｘの外側へバネ付勢されて、外端部７１Ａがケーシング本体４０の両側部から幅方向Ｘの外側へ突出する第１及び第２ラッチ７１，７２を有し、収容空間Ｓ１の底面６４には、操作具５の先端を嵌挿するための操作部８１ａが位置する。操作具５を回転操作することによって、第１及び第２ラッチ７１，７２の外端部７１Ａ，７２Ａがばね付勢に抗してケーシング本体４０の内部に退出する。【選択図】図２
2018046940.tif 000002
【特許請求の範囲】
【請求項１】
上下方向及び幅方向と、ケーシングと、前記ケーシングに旋回可能に収容されるフックとを有するハンガーフックにおいて、
前記ケーシングは、ケーシング本体と、前記フックが収容される収容空間とを有し、
前記ケーシング本体は、内部において前記幅方向の外側へバネ付勢されて、外端部が前記ケーシング本体の両側部から前記幅方向の外側へ突出するラッチを有し、
前記収容空間の底面には操作部が位置し、
操作具を前記操作部に嵌挿させた状態で回転操作することによって、前記ラッチの外端部が、ばね付勢に抗して前記ケーシング本体の内部に退出することを特徴とするハンガーフック。
【請求項２】
前記フックは、回転軸が位置する基端部と、前記基端部から延びるアーム部と、前記アーム部の先端に位置する先端部とを有し、前記操作部は、前記アーム部と対向して位置する請求項１に記載のハンガーフック。
【請求項３】
前記ラッチは、前記ケーシング本体の一方側部から進退出可能に配置された第１ラッチと、前記ケーシング本体の他方側部から進退出可能に配置された第２ラッチとを有し、
前記第１ラッチと前記第２ラッチは前記上下方向において位置ずれして並んでおり、
前記ケーシング本体は、前記操作部の位置する軸部と、前記軸部から延出して前記第１及び第２ラッチの内端部と当接する一対の羽根部分とを有する旋回板をさらに含み、
前記操作具を前記操作部に嵌挿して回転操作することによって、前記羽根部分が旋回して前記第１及び第２ラッチがばね付勢に抗して前記幅方向の内側へ移動されて、前記ケーシング本体内へ退出する請求項１又は２に記載のハンガーフック。
【請求項４】
前記操作部は、前記操作具によってのみ旋回操作可能な形状を有する請求項１〜３のいずれかに記載のハンガーフック。
【発明の詳細な説明】
【技術分野】
【０００１】
本発明は、ハンガーフックに関する。
【背景技術】
【０００２】
従来、旋回可能なフックを備えたハンガーフックは、公知である。例えば、特許文献１には、ケーシング本体とカバーとを有するケーシングと、ケーシング本体に旋回可能に収容されるフックとを備えるハンガーフックが開示されている。
【先行技術文献】
【特許文献】
【０００３】
【特許文献１】特開２００５−２４５５５４号公報（Ｐ２００５−２４５５５４）
【０００４】
特許文献１に開示のハンガーフックによれば、フックを旋回してケーシング本体内の収容空間から起立させることによって、衣服や携帯品等の物品を吊持させることができる。また、フックがケーシング本体へ向かって倒伏する方向へばね付勢されていることによって、物品を取り外したときに、フックを自動的に収容空間内へ移動させることができる。
【０００５】
しかしながら、かかるハンガーフックは埋め込み式であって、壁板の凹部にケーシング本体を埋め込んで取り付けるのみであるから、固定が不安定である。一方、壁板に安定的に取り付けるために、壁板又はブラケットにボルト等の締結具を介して固定する場合には、取り付け及び取り外し操作が手間であって、また、ケーシング本体の外面にボルトが露出していた場合には、第三者による悪戯等によってボルトが外されて締結が解除されるおそれがある。
【発明の概要】
【発明が解決しようとする課題】
【０００６】
本発明は、従来の発明の改良であって、取付及び取外の操作が簡易であって、安定的に壁板に固定することのできるハンガーフックの提供に関する。
【課題を解決するための手段】
【０００７】
本発明は、上下方向及び幅方向と、ケーシングと、前記ケーシングに旋回可能に収容されるフックとを有するハンガーフックに関する。
【０００８】
本発明に係るハンガーフックは、前記ケーシングは、ケーシング本体と、前記フックが収容される収容空間とを有し、前記ケーシング本体は、内部において前記幅方向の外側へバネ付勢されて、外端部が前記ケーシング本体の両側部から前記幅方向の外側へ突出するラッチを有し、前記収容空間の底面には操作部が位置し、操作具を前記操作部に嵌挿させた状態で回転操作することによって、前記ラッチの外端部が、ばね付勢に抗して前記ケーシング本体の内部に退出することを特徴とする。
【０００９】
本発明に係るハンガーフックの実施態様の一つにおいて、前記フックは、回転軸が位置する基端部と、前記基端部から延びるアーム部と、前記アーム部の先端に位置する先端部とを有し、前記操作部は、前記アーム部と対向して位置する。
【００１０】
本発明に係るハンガーフックの他の実施態様の一つにおいて、前記ラッチは、前記ケーシング本体の一方側部から進退出可能に配置された第１ラッチと、前記ケーシング本体の他方側部から進退出可能に配置された第２ラッチとを有し、前記第１ラッチと前記第２ラッチは前記上下方向において位置ずれして並んでおり、前記ケーシング本体は、前記操作部の位置する軸部と、前記軸部から延出して前記第１及び第２ラッチの内端部と当接する一対の羽根部分とを有する旋回板をさらに含み、前記操作具を前記操作部に嵌挿して回転操作することによって、前記羽根部分が旋回して前記第１及び第２ラッチがばね付勢に抗して前記幅方向の内側へ移動されて、前記ケーシング本体内へ退出する。
【００１１】
本発明に係るハンガーフックのさらに他の実施態様の一つにおいて、前記操作部は、前記操作具によってのみ旋回操作可能な形状を有する。
【発明の効果】
【００１２】
本発明に係るハンガーフックによれば、ばね付勢されたラッチによってワンタッチで壁板に取り付けることができるとともに、ラッチを解除するための操作部がケーシング本体の収容空間内に位置しているので、第三者による悪戯等によってラッチによる係止が解除されるおそれはない。
【図面の簡単な説明】
【００１３】
図面は、本発明の特定の実施の形態を示し、発明の不可欠な構成ばかりでなく、選択的及び好ましい実施の形態を含む。
【図１】本発明のハンガーフックの斜視図。
【図２】ハンガーフックの分解斜視図。
【図３】図１のＩＩＩ−ＩＩＩ線に沿う断面図。
【図４】後面カバーを取り除いた状態における、ハンガーフックを後面側から視た平面図。
【図５】（ａ）ケーシング本体を前面側から視た平面図。（ｂ）ケーシング本体を後面側から視た平面図。
【図６】（ａ）係止状態におけるラッチ機構を前面側から視た参考図。（ｂ）ラッチ機構を後面側から視た参考図。
【図７】（ａ）操作具によって、ラッチによる係止を解除する様子を示す図。（ｂ）ラッチによる係止が解除された状態のラッチ機構の様子を示す、図６（ａ）と同様の参考図。
【発明を実施するための形態】
【００１４】
下記の実施の形態は、図１〜図７に示すハンガーフック１０に関し、発明の不可欠な構成ばかりでなく、選択的及び好ましい構成を含む。なお、説明の便宜上、図５（ａ），（ｂ）においては、フック挿通孔４５と窓部６５とに複数のドットを付しており、図６（ａ），（ｂ）及び図７（ｂ）においては、旋回板８０以外の構成要素を仮想線で示している。
【００１５】
図１〜図３を参照すると、ハンガーフック１０は、上下方向Ｙ、幅方向Ｘ及び前後方向Ｚを有し、上下方向Ｙにおいて対向する上下端部１１，１２と、前面１３及びその反対側に位置する後面１４と、衣服や袋物類を吊持させることが可能なフック２０と、フック２０が収容されるケーシング３０とを含む。ケーシング３０は、フック２０がＲ１方向へ旋回可能に収容される収容空間Ｓ１を有するケーシング本体４０と、ケーシング本体４０の後面１４側に取り付けられるパネル状の後面カバー５０とを有する。ハンガーフック１０は、ケーシング本体４０が壁板１の取付孔２に嵌挿され、その両側部（ケーシング本体４０の両側部）１５，１６から幅方向Ｘの外側へ進退出可能に突出する一対の第１及び第２ラッチ７１，７２とケーシング本体４０のフランジ４４とによって壁板１を挟持することによって壁板１に安定的に取り付けられる。
【００１６】
ハンガーフック１０の取付操作についていえば、第１及び第２ラッチ７１，７２は、幅方向Ｘの外側へばね付勢されており、第１及び第２ラッチ７１，７２をばね付勢に抗して幅方向Ｘの内側へ移動するように押圧しながら、壁板１の前面側から取付孔２に嵌挿させた後、第１及び第２ラッチ７１，７２を押圧から解放することによって、第１及び第２ラッチ７１，７２が自動的にケーシング本体４０の両側部１５，１６から幅方向Ｘの外側へ延出してフランジ４４とともに壁板１を挟圧することができる。したがって、ハンガーフック１０は、工具等を用いることなく、ワンタッチで比較的容易に壁板１に取り付けることができる。なお、ハンガーフック１０が壁板１に安定的に取り付けられる限りにおいて、両側部１５，１６のうちの一方側部のみから第１及び第２ラッチ７１，７２が幅方向Ｘの外側へ突出可能にケーシング本体４０内に収容されていてもよい。
【００１７】
フック２０は、ケーシング本体４０に対して起立・倒伏可能（図において、起立する方向をＲ１，倒伏する方向をＲ２として示す）に軸支されており、回転軸を有する基端部２１と、基端部２１から延出するアーム部２２と、アーム部２２の先端に位置する先端部２３とを有する。先端部２３の内面には、フック２０がケーシング本体４０内に収容された状態において、ビス７５を介して内底面６４に当接される当接面２３ａが位置する。フック２０の基端部２１は、後面１４側へ開口した内部空間Ｓ２を有する中空状であって、幅方向Ｘへ対向する両側部分２１ａを有する。基端部２１は、両側部分２１ａの外面から突出する一対の軸部２５をさらに有し、一対の軸部２５の中央には、基端部２１を幅方向Ｘへ貫通するように延びるピン２６を挿通するためのピン孔２５ａが形成されている。基端部２１の内部空間Ｓ２内には、フック２０が起立する方向Ｒ１へ旋回されたときに、ケーシング本体４０へ向かう倒伏方向Ｒ２へ付勢するためのスプリング２７が配置されている。フック２０は、ケーシング本体４０内に倒伏した状態において、その前面がケーシング本体４０の前面とほぼ面一になるように位置しており、操作者が、基端部２１の外面において前方へ突出する押圧面２１ｂを押圧することによって、フック２０を起立する方向Ｒ１へ旋回させることができる。
【００１８】
図２及び３を参照すると、スプリング２７は、巻回部２７ａと巻回部２７ａから延出する一対のアーム２７ｂ，２７ｃを有する。基端部２１の内部空間Ｓ２内において、巻回部２７ａをピン２６が貫通することによって安定的に支持されており、アーム２７ｃが基端部２１の内面に当接し、かつ、アーム２７ｂの係止端がケーシング本体４０の後面１４に位置する係止溝４９に係止されることによって（図４参照）、フック２０は倒伏方向Ｒ２へばね付勢されている。なお、図示していないが、フック２０が付勢された倒伏方向Ｒ２へ旋回するときの旋回動作を緩めるために、基端部２１の内部空間Ｓ２内に回転ダンパを配置してもよい。かかる場合には、フック２０の基端部２１内に配置された回転ダンパのギアに噛合されるラックを後面カバー５０の内面側に配置してもよい。
【００１９】
図２，図３及び図５（ａ）を参照すると、ケーシング本体４０は、前面１３側から視ると、開口４０ａと、後面４１と、後面４１から起立する外周壁部４２とを有する挿入部分４３と、挿入部分４３の前面側から外方へ延出するフランジ４４とを含む。また、ケーシング本体４０は、外周壁部４２に囲まれた収容空間Ｓ１の底面を形成する内底面６４を有する。内底面６４は、その厚さ寸法（前後方向Ｚの寸法）が下端部１２側において肉薄となるように段差部位６２が形成されている。また、内底面６４には、フック２０の先端部２３が当接される円形の窪み部分６３ａと、窪み部分６３ａの下方において、後記の旋回板８０の軸部８１が露出する円形の窓部６５とが位置している。
【００２０】
また、ケーシング本体４０の下端側には、フック挿通孔４５が位置している。図２を参照すると、フック挿通孔４５を形成する外周壁部４２の一部には、後面から前方へ向かって凹となるガイド切欠（ノッチ）４６が形成されている。さらに、外周壁部４２のうちのガイド切欠４６よりも前方に位置する部分の内面には、外周壁部４２の厚さ寸法が肉薄にされた、フック２０の軸部２５が係合される軸受け凹部４７が位置している。フック２０をケーシング本体４０に取り付けるときには、まず、フック２０をケーシング本体４０の下端部に対して斜めになるように位置させて、その後面側からフック挿通孔４５にフック２０の先端部２３を挿し入れて、そのままケーシング本体４０を貫通するようにフック２０を前方へ移動させる。フック２０の基端部２１の軸部２５は、外周壁部４２のガイド切欠４６によってガイドされて軸受け凹部４７に進入して係合される。かかる状態において、スプリング２７のアーム２７ｂをケーシング本体４０の後面に位置する係止溝４９に係止させることによって、フック２０は起立方向Ｒ１へ旋回可能に軸支され、かつ、旋回された状態から自動的にケーシング本体４０の収容空間Ｓ１へ移動するように、倒伏方向Ｒ２へばね付勢される。
【００２１】
後面カバー５０は、ケーシング本体４０の後面に当接される当接面５１と、当接面５１の下端部１２側から前方へ突出する一対の突出部５２とを有する。後面カバー５０は、一対の突出部５２が外周壁部４２のガイド切欠４６に挿入されるとともに、当接面５１に位置するビス孔５１ａをケーシング本体４０の後面に位置するビス孔７０と連通させ、それらにビス７５を貫通させて締結することによって、ケーシング本体４０に安定的に固定される。なお、図示していないが、ケーシング本体４０の開口４０ａと連通する中央開口を有した、フレーム状の前面カバーをフランジ４４に前面１３側から被着させてもよい。かかる場合には、フック２０を旋回操作するために、その先端部２３を前面カバーの上端から上方へ突出させることが好ましい。
【００２２】
図５（ｂ）を参照すると、ケーシング本体４０は、後面１４側から視ると、内底面６４の窓部６５を囲むように立設された、外周壁部４２の一部からなる後方周壁部分６６（ケーシング本体４０の両側部１５，１６の一部）を有する。後方周壁部分６６は、上下方向Ｙにおいて位置ずれする切欠６７Ａ，６７Ｂを有し、切欠６７Ａ，６７Ｂのそれぞれと幅方向Ｘにおいて対向する後方周壁部分６６の内面には、圧縮コイルばね９３，９４の端部が当接される凹部６８が形成されている。ケーシング本体４０は、切欠６７Ａと後方周壁部分６６との間のスぺ―スに画成された第１ラッチ収容部９１と、切欠６７Ｂと後方周壁部分６６との間のスペースに画成された第２ラッチ収容部９２とを有する。
【００２３】
＜ラッチ機構＞
図２，図３，図４を参照すると、第１及び第２ラッチ収容部９１，９２には、同形同大の第１及び第２ラッチ７１，７２がそれぞれ配置されるとともに、第１及び第２ラッチ収容部９１，９２を縦断するように、第１及び第２ラッチ７１，７２と内底面６４との間には、旋回板８０が旋回可能に配置される。第１及び第２ラッチ７１，７２は、切欠６７Ａ，６７Ｂに係合される外端部７１Ａ，７２Ａと、後方周壁部分６６と対向する内端部（ばね受け部）７１Ｂ，７２Ｂと、内外端部間７１Ａ，７１Ｂ，７２Ａ，７２Ｂに位置する凹溝部（羽根受け部）７１Ｃ，７２Ｃとを有する。第１及び第２ラッチ７１，７２の内端部７１Ｂ，７２Ｂと後方周壁部分６６の凹部６８との間には、圧縮コイルばね９３，９４が弾装されており、第１及び第２ラッチ７１，７２は、ケーシング本体４０の両側部１５，１６から幅方向Ｘの外側へ進退可能に付勢されている。
【００２４】
図２及び図６（ａ），（ｂ）を参照すると、旋回板８０は、前面１３に操作具（六角レンチ）５の端部の形状に沿う六角面状の操作部８１ａを有する軸部８１と、軸部８１の後面１４に位置する基端部分８２と基端部分８２から軸ずれして上下方向Ｙへ延出する一対の羽根部分８３，８４とを有する旋回部とを有する。ケーシング本体４０内において、旋回板８０の軸部８１は、六角形状の窪みを有する操作部８１ａが収容空間Ｓ１内に露出するように、内底面６４の窓部６５に嵌合されており、旋回板８０の羽根部分８３，８４がそれぞれ第１及び第２ラッチ７１，７２の凹溝部７１Ｃ，７２Ｃ内に位置している。
【００２５】
ハンガーフック１０の取付状態において、第１及び第２ラッチ７１，７２が圧縮コイルばね９３，９４によって幅方向Ｘの外側へ付勢されていることによって、外端部７１Ａ，７２Ａが後方周壁部分６６から幅方向Ｘの外側へ突出して、その前面が壁板１の背面に当接されている。かかる状態において、旋回板８０の羽根部分８３，８４は、それぞれ、第１及び第２ラッチ７１，７２の凹溝部７１Ｃ，７２Ｃの内端部７１Ｂ，７２Ｂ側の面に当接されている。また、羽根部分８３，８４のうちの第１及び第２ラッチ７１，７２の内端部７１Ｂ，７２Ｂに当接される側面８３ａ，８４ａは、旋回板８０の幅方向Ｘの仮想中心線Ｐ上に位置する。圧縮コイルばね９３，９４は、幅方向Ｘにおいて互いに反対方向へ羽根部分８３，８４を付勢して相互作用するので、互いに協働して第１及び第２ラッチ７１，７２の外端部７１Ａ，７２Ａを外方へ突出させることができる。
【００２６】
また、再び、図２を参照すると、ケーシング本体４０の内底面６４の窪み部分６３ａには、フック２０の先端部２３が当接するときの衝撃による衝撃音（金属音）の発生を抑制するために、ゴムやウレタンフォーム等の柔軟性材料から形成された緩衝材７７が取り付けられている。緩衝材７７が配置されていることによって、フック２０が倒伏する方向Ｒ２へ旋回して当接面２３ａが窪み部分６３ａに当っても、その衝撃を吸収して衝撃音（金属音）が生じるのを抑制することができる。また、窓部６５から露出する操作部８１ａには、オプションとして、それを被覆するためのシール７６が貼付されている。
【００２７】
図７（ａ）及び（ｂ）を参照すると、ハンガーフック１０を壁板１から取り外す場合には、まず、フック２０を起立方向Ｒ１へ旋回し、六角レンチ等の操作具５を収容空間Ｓ１内に挿し入れて、第２内底面６４の窓部６５において露出された旋回板８０の軸部８１の操作部８１ａに操作具５の先端を嵌挿する。かかる状態のまま操作具５を第１及び第２ラッチ７１，７２による係止を解除する方向Ｒ５へ旋回することによって、図６（ａ）に示すとおり、旋回板８０の羽根部分８３，８４がＲ３，Ｒ４方向へ旋回して第１及び第２ラッチ７１，７２をばね付勢に抗して幅方向Ｘの内方へ移動させる。第１及び第２ラッチ７１，７２が幅方向Ｘの内方へ移動することによって、第１及び第２ラッチ７１，７２とフランジ４４とによる壁板１の挟持が解除されるとともに、外端部７１Ａ，７２Ａが後方周壁部分６６の切欠６７Ａ，６７Ｂに係合されることによってその移動が停止される。
【００２８】
かかる第１及び第２ラッチ７１，７２の解除操作において、羽根部分８３，８４の側面８３ａ，８４ａ全体が内端部７１Ｂ，７２Ｂに当接されるので、旋回板８０を旋回しようとする力を圧縮コイルばね９３，９４を圧縮する力へ効率良く変換することができる。一方、旋回板８０が操作具５による旋回力から解放されたときには、図７（ｂ）に示すとおり、圧縮コイルばね９３，９４の弾性によって羽根部分８３，８４が矢印Ｒ６，Ｒ７へ旋回するが、かかる場合において、一方の圧縮コイルばね９３，９４の弾性力が他方の圧縮コイルばね９３，９４を圧縮から解放する方向へ相互作用し合うことができる。また、このように、第１及び第２ラッチ７１，７２が、両側部１５，１６のそれぞれにおいて、上下方向Ｙにおいて位置ずれするように配置することによって、それらが横並びする場合に比べて、上下方向Ｙにおけるガタつきを効果的に抑制することができる。
【００２９】
図示していないが、ケーシング本体４０の窓部６５の内周面と軸部８１の外周面との摺接による摩擦を抑制するために、シリコンオイルやグリース等の潤滑剤を窓部６５の内周面又は軸部８１に外周面に塗布することが好ましい。なお、第１及び第２ラッチ７１，７２の厚さ寸法（前後方向Ｚにおける寸法）を適宜変更することによって、様々な大きさの板厚を有する壁板１に対しても、ハンガーフック１０を安定的に取り付けることができる。
【００３０】
このように、本発明に係るハンガーフック１０のラッチ機構によれば、操作具５を使用することによって容易に第１及び第２ラッチ７１，７２の解除操作を行うことができるので、比較的に容易な取り付け及び取り外し操作によって、壁板１に安定的に固定することができる。旋回板８０の軸部８１が収容空間Ｓ１内に位置するので、フック２０がケーシング本体４０に収容された状態においては軸部８１が外部に露出されておらず、第三者による悪戯等によって第１及び第２ラッチ７１，７２の解除操作が行われるおそれはない。また、比較的に暗い場所にハンガーフック１０を設置した場合等において、操作具５によるラッチの解除操作がし難いおそれがあるが、ケーシング本体４０の開口４０ａの縁部をガイドとして操作具５を収容空間Ｓ１へ導いて、操作部８１ａにその先端を嵌挿させることができる。かかる場合であって、内底面６４にオプションとしてのシール７６が配置されていないときには、収容空間Ｓ１の内底面６４が凹凸状に起伏した形状を有するので、操作具５の先端を内底面６４に当てながら（その形状をなぞるように）上下に移動させることによって、操作部８１ａの位置を感覚的に把握することができる。さらに、軸部８１が外部に露出してないことによって、外観上すっきりとした印象を与えて、意匠性に優れる。なお、第三者による悪戯をさらに防止するために、操作部８１ａの窪みの形状として、例えば、窪み内にピンが立っているもの、複数のホールから形成されたもの、スクリュー状のもの等を採用することによって、その特殊な形状に合う先端形状を有した専用の操作具５によってのみ第１及び第２ラッチ７１，７２の解除操作を可能としてもよい。
【００３１】
本実施形態に係るハンガーフック１０を構成する各構成材料には、特に記述がなされている場合を除き、この種の分野において通常用いられている、各種の公知の材料を制限なく用いることができる。例えば、ケーシング本体４０は硬質合成樹脂製又は金属製であってもよく、また、スプリング以外の公知の付勢手段によって第１及び第２ラッチ７１，７２を付勢してもよい。
【符号の説明】
【００３２】
５  操作具
１０  ハンガーフック
１５  ケーシング本体の一方側部
１６  ケーシング本体の他方側部
２０  フック
２１  基端部
２２  アーム部
２３  先端部
３０  ケーシング
４０  ケーシング本体
６４  底面（内底面）
７１  ラッチ（第１ラッチ）
７１Ａ  ラッチの外端部
７２  ラッチ（第２ラッチ）
７２Ａ  ラッチの外端部
８０  旋回板
８１  軸部
８１ａ  操作部
８３，８４  羽根部分
Ｓ１  収容空間
Ｘ  幅方向
Ｙ  上下方向
【図１】
2018046940.tif 000003
【図２】
2018046940.tif 000004
【図３】
2018046940.tif 000005
【図４】
2018046940.tif 000006
【図５】
2018046940.tif 000007
【図６】
2018046940.tif 000008
【図７】
2018046940.tif 000009